(57)【要約】【課題】表示される映像を明るく視認できる視野角を大きくすることができる表示パネル及びこの表示パネルを備えた表示装置を提供する。【解決手段】表示パネル２０は、第１面２５ａ及び第１面２５ａと反対側の面をなす第２面２５ｂを有する基板本体２５を含む配線基板２４と、配線基板２４上に配置された素子２６と、を備え、配線基板２４は、第１面２５ａから突出する凸部５０を有し、素子２６は、凸部５０上に配置されている。【選択図】図１
2019028308.tif 000002
【特許請求の範囲】
【請求項１】
第１面及び前記第１面と反対側の面をなす第２面を有する基板本体を含む配線基板と、前記配線基板上に配置された素子と、を備え、
前記配線基板は、前記第１面から突出する凸部を有し、
前記素子は、前記凸部上に配置されている、表示パネル。
【請求項２】
各凸部上に、それぞれ１つの前記素子が配置され、
各凸部の、前記第１面からの最大高さの９０％の高さにおける前記第１面と平行な断面の面積は、１００００μｍ２以下である、請求項１に記載の表示パネル。
【請求項３】
前記凸部は、前記第１面上に積層された１以上の層を有し、
前記層のうち前記第１面の法線方向に沿って前記第１面から最も離間した層における前記第１面と対面する面の面積は、１００００μｍ２以下である、請求項１又は２に記載の表示パネル。
【請求項４】
前記凸部は、その表面が絶縁材料で形成される、請求項１〜３のいずれかに記載の表示パネル。
【請求項５】
前記凸部は、前記第１面から離間するにつれて、平面視において前記素子に近づくように、前記第１面及び前記第１面の法線方向に対して傾斜した傾斜面を含む、請求項１〜４のいずれかに記載の表示パネル。
【請求項６】
請求項１〜５のいずれかに記載の表示パネルと、前記第１面と対向して配置された表示装置用前面板と、を備え、
前記表示装置用前面板は、光透過性基板と、前記光透過性基板に対して前記表示パネル側に設けられ複数の開口部を有する遮光層と、を有し、
前記素子は、平面視において前記遮光層の前記開口部内に位置する、表示装置。
【発明の詳細な説明】
【技術分野】
【０００１】
本発明は、表示パネル、及び、表示パネルを備えた表示装置に関する。
【背景技術】
【０００２】
従来、素子を実装した配線基板を備え、画素として機能する各素子により映像等を表示する表示装置が知られている。
【０００３】
特許文献１には、４×４の１６個のパネルモジュールが配列（タイリング）されて小ユニットが構成され、３×３の９個の小ユニットがタイリングされて中ユニットが構成され、２２×１６の３５２個の中ユニットがタイリングされて、表示装置の表示パネルが構成されたものが開示されている。各パネルモジュールには、赤（Ｒ）、緑（Ｇ）及び青（Ｂ）の３色の素子がそれぞれ埋め込まれており、これらの素子の発光が、トランジスタにより制御される。
【０００４】
このような表示装置では、パネルモジュールをタイリングして表示パネルを構成するため、任意の大きさの表示パネルを容易に構成することができる、すなわち、小画面の表示パネルから大画面の表示パネルまで所望の大きさの表示パネルを容易に構成することができる利点がある。
【先行技術文献】
【特許文献】
【０００５】
【特許文献１】特開２００３−１５００７５号公報
【発明の概要】
【発明が解決しようとする課題】
【０００６】
表示パネルの表面、とりわけ配線基板の表面で反射した外光が観察者から視認されると、表示パネルに表示される映像の品質が低下し得る。特に黒色を表現するために素子を消灯した領域において表示パネルの表面で反射した外光が観察者から視認されると、当該領域が完全な黒色として視認されず、白みを帯びた黒色として視認される。これにより、表示パネルに表示される映像のコントラストが低下する。
【０００７】
また、複数の単位基板をタイリングして構成された表示装置においては、当該表示装置を観察した際に、隣り合う単位基板間の境界部が観察者により視認され、表示装置の意匠性が損なわれる場合がある。この境界部は、とりわけ表示装置の黒表示の際（全素子消灯時）に顕著に視認され得る。これは、表示装置において、各単位基板を精密に位置合わせしてタイリングしたとても、各単位基板の表面形状には隣り合う単位基板間の境界部において不連続となる箇所がわずかながら生じており、この境界部を含む領域で反射した不連続な反射光が観察者から視認されることにより、境界部の存在が認識されるものと考えられる。
【０００８】
これらの問題を解決するために、本件発明者らは、図１１に比較形態として示すように、表示パネル１２０の観察者側（図１１では上側）に表示パネル１２０を保護する前面板１４０を設け、この前面板１４０の表示パネル１２０側に遮光層１４４を設けることについて検討している。ところが、この表示装置１１０では、表示パネル１２０の法線方向ｎｄに対して大きく傾斜した方向から表示装置１１０を観察したときに、表示される映像の明るさが大きく低下する課題があることが、本件発明者らによって見出された。
【０００９】
この表示装置１１０について、本件発明者らがさらに検討を進めたところ、以下の知見が得られた。前面板１４０を、接着剤、粘着剤等の接合層１６０を介して配線基板１２４に対して固定すると、素子１２６の発光面１２６ａと前面板１４０の光透過性基板１４２との間の法線方向ｎｄに沿った距離が大きくなる。これに起因して、素子１２６の発光面１２６ａから出射した光のうち法線方向ｎｄに対して大きく傾斜した方向へ出射した光は遮光層１４４で遮られて観察者側へ出射しない。これにより、法線方向ｎｄに対して大きく傾斜した方向から表示装置１１０を観察すると、素子１２６から出射した光が視認しづらくなり、表示パネル１２０に表示される映像の明るさが大きく低下する。換言すると、観察者が表示パネル１２０に表示される映像を明るく視認できる視野角θ２は小さくなる。
【００１０】
ここで、遮光層１４４に設けられる開口部１４５の平面視寸法を大きくし、これにより素子１２６から出射した光のうち法線方向ｎｄに対して大きく傾斜した方向へ出射した光が遮光層１４４で遮られることを抑制することも考えられるが、この場合、大きな平面視寸法を有する開口部１４５を介して、素子１２６の周囲の配線基板の表面で反射した外光が観察者により視認され得るというさらなる課題が生じ得る。
【００１１】
本発明は、以上の点を考慮してなされたものであり、表示される映像を明るく視認できる視野角を大きくすることができる表示パネル及びこの表示パネルを備えた表示装置を提供することを目的とする。
【課題を解決するための手段】
【００１２】
本発明の表示パネルは、
第１面及び前記第１面と反対側の面をなす第２面を有する基板本体を含む配線基板と、前記配線基板上に配置された素子と、を備え、
前記配線基板は、前記第１面から突出する凸部を有し、
前記素子は、前記凸部上に配置されている。
【００１３】
本発明の表示パネルにおいて、
各凸部上に、それぞれ１つの前記素子が配置され、
各凸部の、前記第１面からの最大高さの９０％の高さにおける前記第１面と平行な断面の面積は、１００００μｍ２以下であってもよい。
【００１４】
本発明の表示パネルにおいて、
前記凸部は、前記第１面上に積層された１以上の層を有し、
前記層のうち前記第１面の法線方向に沿って前記第１面から最も離間した層における前記第１面と対面する面の面積は、１００００μｍ２以下であってもよい。
【００１５】
本発明の表示パネルにおいて、
前記凸部は、その表面が絶縁材料で形成されてもよい。
【００１６】
本発明の表示パネルにおいて、
前記凸部は、前記第１面から離間するにつれて、平面視において前記素子に近づくように、前記第１面及び前記第１面の法線方向に対して傾斜した傾斜面を含んでもよい。
【００１７】
本発明の表示装置は、
上述の表示パネルと、前記第１面と対向して配置された表示装置用前面板と、を備え、
前記表示装置用前面板は、光透過性基板と、前記光透過性基板に対して前記表示パネル側に設けられ複数の開口部を有する遮光層と、を有し、
前記素子は、平面視において前記遮光層の前記開口部内に位置する。
【発明の効果】
【００１８】
本発明によれば、表示される映像を明るく視認できる視野角を大きくすることができる表示パネル及びこの表示パネルを備えた表示装置を提供することができる。
【図面の簡単な説明】
【００１９】
【図１】図１は、本発明による一実施の形態を説明するための図であって、表示装置を概略的に示す斜視図である。
【図２】図２は、表示装置を示す平面図である。
【図３】図３は、図２の表示装置の一部を拡大して示す図である。
【図４】図４は、表示装置の前面板を示す平面図である。
【図５】図５は、表示装置の表示パネルを示す平面図である。
【図６】図６は、表示装置の断面図であり、図２におけるＶＩ−ＶＩ線に対応する断面を示す図である。
【図７】図７は、図６の表示装置の断面図の部分拡大図である。
【図８】図８は、表示パネルの一変形例を示す断面図である。
【図９】図９は、表示パネルの他の変形例を示す断面図である。
【図１０】図１０は、表示パネルのさらに他の変形例を示す断面図である。
【図１１】図１１は、比較形態の表示装置を示す断面図である。
【発明を実施するための形態】
【００２０】
以下、図面を参照して本発明の一実施の形態について説明する。なお、本件明細書に添付する図面においては、図示と理解のしやすさの便宜上、適宜縮尺及び縦横の寸法比等を、実物のそれらから変更し誇張してある。
【００２１】
本明細書において、「板」、「シート」、「フィルム」の用語は、呼称の違いのみに基づいて、互いから区別されるものではない。例えば、「板」は「シート」や「フィルム」と呼ばれ得るような部材をも含む概念であり、したがって、例えば、「支持板」は、「支持シート」や「支持フィルム」と呼ばれる部材と、呼称の違いのみにおいて区別され得ない。
【００２２】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。なお、板状（シート状、フィルム状）の部材についての「法線方向」とは、当該部材の板面（シート面、フィルム面）への法線に沿った方向を指す。
【００２３】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２４】
図１〜図１０は、本発明による一実施の形態を説明するための図である。このうち図１は表示装置１０を概略的に示す図である。図２は、表示装置１０を示す平面図であり、とりわけ表示装置１０を観察者５側から見て示す平面図である。図３は、図２の表示装置１０の一部を拡大して示す平面図である。なお、図２及び図３においては、理解の容易化のため、後述の光透過性基板４２に隠れた部材である、遮光層４４及び開口部４５について、実線で示している。
【００２５】
表示装置１０は、例えば動画、静止画、文字情報や、これらの組み合わせで構成された映像を表示する装置であり、室内、車両内又は屋外において、広告、プレゼンテーション、テレビジョン映像、各種情報の表示等、様々な用途に使用され得る。図１に示すように、表示装置１０は、映像を表示する表示パネル２０と、表示パネル２０の観察者５側に配置された前面板（表示装置用前面板）４０と、表示パネル２０に接続された図示しない表示制御部と、を備えている。表示パネル２０は、配線基板２４と、配線基板２４上に配置された素子２６と、を備えている。これにより本実施の形態の表示装置１０は、いわゆるフラットパネルディスプレイとして構成されている。表示制御部は、表示されるべき映像に関する情報を処理し、映像情報に基づいて表示パネル２０の素子２６を駆動する。これにより、表示パネル２０は、表示制御部の制御信号に基づいて、所定の映像を表示面２０ａに表示する。
【００２６】
前面板４０は、表示パネル２０、とりわけ表示パネル２０の表示面２０ａを保護する部材である。図１に示すように、前面板４０は、表示パネル２０に対して観察者５側に配置されている。すなわち、前面板４０は、表示パネル２０の表示面２０ａと対面するように配置されている。本実施の形態では、前面板４０は、表示パネル２０に対して、接合層６０（図６及び図７を参照）を介して固定されている。接合層６０としては、特に限られず種々の接着性又は粘着性を有した層を用いることができる。図示された例では、前面板４０は、観察者５側の面をなす第１面４０ａと、第１面４０ａと反対側の面をなす第２面４０ｂ、すなわち表示パネル２０側の面をなす第２面４０ｂと、を有している。したがって、表示パネル２０と前面板４０とは、表示パネル２０の表示面２０ａと前面板４０の第２面４０ｂとが対面するようにして、配置されている。また、表示パネル２０の板面と前面板４０の板面とは、互いに平行をなして配置されている。
【００２７】
図２〜図４及び図６を参照して、前面板４０について詳述する。前面板４０は、光透過性基板４２と、光透過性基板４２に対して前面板４０の第２面４０ｂ側に設けられた遮光層４４と、を備えている。
【００２８】
光透過性基板４２は、第１面４２ａ、及び、第１面４２ａと反対側の面をなす第２面４２ｂを有している。図示された例では、光透過性基板４２は、その第１面４２ａが観察者５側を向き、第２面４２ｂが表示パネル２０側を向くように配置されている。すなわち、光透過性基板４２の第１面４２ａは、前面板４０の第１面４０ａ側の面をなし、第２面４２ｂは、前面板４０の第２面４０ｂ側の面をなしている。したがって、遮光層４４は、光透過性基板４２の第２面４２ｂ側に設けられている。とりわけ図４に示された例では、遮光層４４は、光透過性基板４２の第２面４２ｂ上に設けられている。
【００２９】
光透過性基板４２は、表示パネル２０、とりわけ表示パネル２０の表示面２０ａを保護するとともに、遮光層４４を支持する基材として機能する。図示された例では、光透過性基板４２は、平面視において略矩形形状を有している。光透過性基板４２は、高い光透過性を有する材料で形成されている。光透過性基板４２は、可視光領域における光透過率が８０％以上であることが好ましく、９０％以上であることがより好ましい。なお、本明細書において、可視光透過率は、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される。このような光透過性基板４２は、例えばガラスや樹脂の板から構成され得る。
【００３０】
遮光層４４は、配線基板２４の表面（観察者５側の面）で反射した外光が観察者５から視認されることを抑制する機能を有する。そのため、遮光層４４は、遮光性を有した層として形成されている。ここで、遮光性を有した層とは、光を完全に透過させない層だけでなく、光の透過率を低下させる層をも含む。このような遮光層４４の可視光に対する透過率は、光学濃度（ＯＤ）で表して３以上であることが好ましく、光学濃度（ＯＤ）で４以上であることがより好ましい。これにより、遮光層４４に十分な遮光性を付与することができる。なお、光学濃度にて表される透過率の値（ＯＤ）は、垂直入射した入射光の強度Ｉｉｎと垂直に透過した透過光の強度Ｉｏｕｔとを用いた「ｌｏｇ１０（Ｉｉｎ／Ｉｏｕｔ）」によって特定される。
【００３１】
図２〜図４及び図６に示されているように、遮光層４４は、複数の開口部４５を有している。各開口部４５は、平面視において、表示パネル２０の各素子２６に対応して設けられている。図示された例では、表示パネル２０の１つの素子２６に対応して、１つの開口部４５が設けられている。開口部４５は、対応する素子２６から出射した光を観察者５側へ向けて透過させる窓として機能する。開口部４５は、前面板４０の法線方向ｎｄに沿って、対応する素子２６の発光面２６ａと対面している。図２〜図４には、各開口部４５の平面視形状が円形であるものが示されているが、これに限られず、各開口部４５の平面視形状は、例えば、四角形、六角形等の多角形形状や、楕円形等の閉曲線形状を有していてもよい。
【００３２】
遮光層４４としては、暗色を呈する顔料を含んだ層を用いることができる。暗色を呈する顔料としては、例えば黒色、青色として視認され得る色を呈する顔料を挙げることができる。黒色の顔料としては、例えばカーボンブラックを用いることができる。また、青色の顔料としては、例えば銅フタロシアニン構造を有する青色顔料を用いることができる。銅フタロシアニン構造を有する青色顔料としては、例えばＰＢ（Pigment Blue）１５：６、ＰＢ１５：３、ＰＢ１５：４として知られる青色顔料を、単独で又は適宜混合して用いることができる。このような暗色顔料の遮光層４４における含有量は、一例として２０重量％以上とすることができる。好ましくは、暗色顔料の遮光層４４における含有量は２５重量％以上であり、さらに好ましくは３０重量％以上である。
【００３３】
このような遮光層４４は、一例として、暗色顔料を含有する液状の材料を、スピンコート法、ダイコート法等により光透過性基板４２上に塗布し、その後、当該材料層に、フォトリソグラフィー技術を用いたパターニングにより開口部４５を形成することにより、作製することができる。
【００３４】
なお、遮光層４４は、複数の層を有して構成されてもよい。例えば、遮光層４４は、光透過性基板４２の第２面４２ｂ上に設けられた第１遮光層と、第１遮光層上に設けられた第２遮光層とを有していてもよい。この場合、第１遮光層に含まれる顔料の組成と、第２遮光層に含まれる顔料の組成とは、互いに異なっていてもよい。例えば、第１遮光層には、銅フタロシアニン構造を有する青色顔料を主な顔料として含み、第２遮光層には、カーボンブラックを主な顔料として含むようにしてもよい。
【００３５】
光透過性基板４２の第１面４２ａ及び／又は第２面４２ｂ上には、低反射層が設けられてもよい。低反射層はいわゆる反射防止層（ＡＲ層）であり、前面板４０の観察者５側及び／又は表示パネル２０側における光の反射を抑制する層である。低反射層としては、例えば光透過性基板４２の光屈折率よりも低い光屈折率を有する層を用いることができる。光透過性基板４２の第１面４２ａ上に低反射層が設けられた場合、光透過性基板４２の第１面４２ａに入射する外光の観察者５側への反射を抑制することができる。したがって、観察者５により光透過性基板４２の第１面４２ａで反射した外光が視認され、これにより表示パネル２０に表示された映像のコントラストが低下することを防止することができる。また、光透過性基板４２の第２面４２ｂ上に低反射層が設けられた場合、光透過性基板４２の第２面４２ｂにおける遮光層４４の開口部４５内に露出した部分における光の反射、とりわけ素子２６から出射した光の反射を抑制することができる。すなわち、素子２６から出射した光が、光透過性基板４２の第２面４２ｂにおける遮光層４４の開口部４５内に露出した部分で反射し、配線基板２４の表示パネル２０と対面する面や前面板４０の第２面４０ｂで繰り返し反射し、他の開口部４５を介して出射することを抑制することができる。したがって、隣接した異なる色の素子２６間における混色を防止することができる。低反射層は、例えば、スパッタリング等の物理的堆積法を用いて形成してもよいし、低反射層が形成されたフィルムの貼着により形成してもよい。
【００３６】
なお、前面板４０の第１面４０ａ上には、他の機能層が積層されていてもよい。機能層としては、例えば、防眩機能を有した防眩層（ＡＧ層）、耐擦傷性を有したハードコート層（ＨＣ層）、帯電防止機能を有した帯電防止層（ＡＳ層）等の一以上を含むように構成されてもよい。
【００３７】
次に、図１〜図３、図５及び図６を参照して、表示パネル２０について説明する。表示パネル２０は、配線基板２４と、配線基板２４上に配置された素子２６と、を備えている。とりわけ図示された例では、表示パネル２０は、前面板４０の板面と平行な面内に配列された複数の単位基板２２を有しており、各単位基板２２が、配線基板２４と、配線基板２４上に実装された素子２６と、を有している。すなわち、図示された例では、表示パネル２０は、前面板４０の板面と平行な面内に配列された複数の配線基板２４と、各配線基板２４上に配置された素子２６と、を有している。なお、これに限られず、表示パネル２０は、例えば、１つの配線基板２４と、この配線基板２４上に配列された複数の素子２６と、を有するものであってもよい。
【００３８】
図１及び図６によく示されているように、各単位基板２２（配線基板２４）の板面は、表示パネル２０の板面及び前面板４０の板面と平行をなしている。各単位基板２２は、表示パネル２０の法線方向（前面板４０の法線方向）ｎｄに沿った観察において、すなわち平面視において、少なくとも１方向に沿って配列されている。図示された例では、各単位基板２２は、平面視において略矩形形状を有しており、第１方向ｄ１に沿って配列され、且つ、第１方向ｄ１と交差する第２方向ｄ２に沿って配列されている。すなわち、各単位基板２２は、第１方向ｄ１及び第２方向ｄ２に沿って二次元的に配列されている。とりわけ図示された例では、第１方向ｄ１と第２方向ｄ２とは、直交している。図示された例では、隣り合う２つの単位基板２２は、平面視において、互いに１つの辺どうしが対面するようにして配置されている。なお、上述の例に限られず、各単位基板２２は、平面視において、例えば三角形、五角形、六角形等の他の多角形や、円形、楕円形等の、矩形状以外の形状を有していてもよい。また、各単位基板２２は、直交しない２方向や、３方向以上の方向に沿って配列されてもよい。
【００３９】
配線基板２４は、素子２６を支持し、表示制御部と素子２６とを電気的に接続する。配線基板２４は基板本体２５と、基板本体２５から突出した凸部５０と、を有している。基板本体２５は、第１面２５ａ及び第１面２５ａと反対側の面をなす第２面２５ｂを有しており、全体として板状に形成されている。図６によく示されているように、基板本体２５の第１面２５ａは、観察者５及び前面板４０側を向く面であり、第２面２５ｂは、観察者５側及び前面板４０と反対側を向く面である。換言すると、基板本体２５の第１面２５ａは、前面板４０と対面する面である。凸部５０は、基板本体２５の第１面２５ａから、基板本体２５と反対側に突出するように形成されている。すなわち、凸部５０は、基板本体２５の第１面２５ａから前面板４０側へ向けて突出している。なお、凸部５０の具体的形状については後述する。
【００４０】
素子２６は、凸部５０上、とりわけ凸部５０の上面５０ａ上、に設けられた図示しない電極に、例えば、はんだ材、導電性接着剤、異方導電膜（ＡＣＦ）等を介して接続されている。とりわけ表示パネル２０には、赤色として視認される光を発する素子（以下、赤色の素子ともいう）２６、緑色として視認される光を発する素子（以下、緑色の素子ともいう）２６、及び、青色として視認される光を発する素子（以下、青色の素子ともいう）２６が含まれる。図示された例では、単位基板２２は、赤色の素子２６、緑色の素子２６、及び、青色の素子２６を有している。換言すると、各単位基板２２の配線基板２４上には、赤色の素子２６、緑色の素子２６、及び、青色の素子２６が実装されている。
【００４１】
素子２６は、光を発する発光面２６ａを有している。図４に示された例では、発光面２６ａは、前面板４０と対面するように位置している。換言すると、発光面２６ａは、配線基板２４（凸部５０）と反対側を向くように位置している。したがって、図示された例では、素子２６の発光面２６ａと、配線基板２４の前面板４０と対面する面のうち素子２６から露出した領域と、により、表示パネル２０の表示面２０ａが形成される。
【００４２】
各素子２６は、配線基板２４を介して表示制御部によりその発光が制御される。表示制御部は、各素子２６の発光を制御することにより、表示パネル２０の表示面２０ａに、所定の映像を表示する。一例として、１つの赤色の素子２６、１つの緑色の素子２６、及び、１つの青色の素子２６で１つの画素を構成し、所定の映像を多数の画素の集合として表示面２０ａに表示する。
【００４３】
単位基板２２は、平面視において単位基板２２よりも大きな寸法を有する他の基板上に固定されてもよい。例えば、第１方向ｄ１及び第２方向ｄ２に沿って配列された複数の単位基板２２が、他の１つの基板上に固定されてもよい。さらに、単位基板２２の配線基板２４に設けられた電極と、他の基板に設けられた電極とが、はんだ材、導電性接着剤、異方導電膜（ＡＣＦ）等を介して電気的に接続されてもよい。この場合、各素子２６が、配線基板２４及び他の基板を介して表示制御部に接続されてもよい。
【００４４】
本実施の形態では、隣り合う２つの単位基板２２（配線基板２４）の間には、間隙が形成されている。この場合、隣り合う２つの単位基板２２の間の境界部３２は、隣り合う２つの単位基板２２の間に形成された間隙を有して構成される。また、これに限られず、隣り合う２つの単位基板２２の間には、間隙が形成されていなくてもよい。換言すると、隣り合う２つの単位基板２２は、縁部において互いに接していてもよい。この場合、隣り合う２つの単位基板２２の間の境界部３２は、当該２つの単位基板２２の、互いに接した縁部で構成される。
【００４５】
図示された例では、前面板４０の遮光層４４は、平面視において、表示パネル２０の表示面２０ａにおける、隣り合う２つの素子２６間に位置する領域３４と重なっている。ここで、隣り合う２つの素子２６間に位置する領域３４には、表示パネル２０の単位基板２２間の境界部３２をも含む。これにより、表示パネル２０の表示面２０ａにおける隣り合う２つの素子２６間に位置する領域３４に外光が入射すること、及び／又は、当該領域３４で反射した光が観察者５側へ透過することを抑制することができる。したがって、遮光層４４と異なる色を呈し得る、表示面２０ａにおける隣り合う２つの素子２６間に位置する領域３４が、観察者５により、遮光層４４から区別して視認されやすくなることを、効果的に抑制することができる。
【００４６】
また、遮光層４４が、平面視において、表示パネル２０の単位基板２２間の境界部３２と重なっていることにより、外光が表示パネル２０の境界部３２近傍に入射することを抑制することができる。また、表示パネル２０の境界部３２近傍で反射した光が、観察者５側へ透過することを抑制することもできる。したがって、表示パネル２０の単位基板２２間の境界部３２を、観察者５から視認されにくくすることができる。
【００４７】
次に、凸部５０について説明する。図２、図３、図５及び図６に示された例では、凸部５０は、基板本体２５と反対側の面をなす上面５０ａと、基板本体２５側の面をなす下面５０ｂと、上面５０ａと下面５０ｂとを接続する第１側面５０ｃ、第２側面５０ｄ、第３側面５０ｅ及び第４側面５０ｆと、を有しており、全体として略四角錐台形状を有している。図示された例では、凸部５０は、単層で構成されている。上面５０ａ及び下面５０ｂは、平面視においてそれぞれ矩形形状を有しており、いずれも基板本体２５の板面と平行をなしている。下面５０ｂは、基板本体２５の第１面２５ａと接触している。素子２６は、凸部５０の上面５０ａ上に配置されている。とりわけ図示された例では、素子２６は、平面視において上面５０ａの中央に配置されている。
【００４８】
図７は、図６に示した表示装置１０の断面図の部分拡大図である。素子２６が凸部５０上に配置されていることにより、素子２６の発光面２６ａと前面板４０との間の、法線方向ｎｄに沿った距離を小さくすることができる。とりわけ、発光面２６ａと、前面板４０の光透過性基板４２の第２面４２ｂと、の間の距離を小さくすることができる。これにより、図７に示すように、素子２６の発光面２６ａから出射した光のうち法線方向ｎｄに対して大きく傾斜した方向へ出射した光が、遮光層４４で遮られることを抑制することができる。したがって、法線方向ｎｄに対して大きく傾斜した方向から表示装置１０を観察したときに、素子２６から出射した光が視認しづらくなり、表示パネル２０に表示される映像の明るさが大きく低下することを抑制することができる。換言すると、観察者５が表示パネル２０に表示される映像を明るく視認できる視野角θ１が大きくなる。
【００４９】
第１側面５０ｃと第３側面５０ｅとは、基板本体２５の板面と平行な方向、とりわけ図示された例では第１方向ｄ１、に沿って対向して配置されている。第１側面５０ｃは、基板本体２５の第１面２５ａ及び第１面２５ａの法線方向ｎｄに対して傾斜した傾斜面として構成されており、第１面２５ａから離間するにつれて、平面視において素子２６に近づく。また、第３側面５０ｅは、基板本体２５の第１面２５ａ及び第１面２５ａの法線方向ｎｄに対して傾斜した傾斜面として構成されており、第１面２５ａから離間するにつれて、平面視において素子２６に近づく。したがって、第１側面５０ｃ及び第３側面５０ｅは、第１面２５ａから離間するにつれて互いに近づくように、第１面２５ａ及び第１面２５ａの法線方向ｎｄに対して傾斜した傾斜面として構成されている。
【００５０】
また、第２側面５０ｄと第４側面５０ｆとは、基板本体２５の板面と平行な方向、とりわけ図示された例では第２方向ｄ２、に沿って対向して配置されている。第２側面５０ｄは、基板本体２５の第１面２５ａ及び第１面２５ａの法線方向ｎｄに対して傾斜した傾斜面として構成されており、第１面２５ａから離間するにつれて、平面視において素子２６に近づく。また、第４側面５０ｆは、基板本体２５の第１面２５ａ及び第１面２５ａの法線方向ｎｄに対して傾斜した傾斜面として構成されており、第１面２５ａから離間するにつれて、平面視において素子２６に近づく。したがって、第２側面５０ｄ及び第４側面５０ｆは、第１面２５ａから離間するにつれて互いに近づくように、第１面２５ａ及び第１面２５ａの法線方向ｎｄに対して傾斜した傾斜面として構成されている。
【００５１】
したがって、凸部５０の上面５０ａの面積は、下面５０ｂの面積よりも小さい。とりわけ図示された例では、平面視において、凸部５０の下面５０ｂの輪郭は、上面５０ａの輪郭を取り囲んでいる。換言すると、平面視において、凸部５０の上面５０ａは、下面５０ｂの輪郭内に位置している。
【００５２】
図示された例では、１つの凸部５０に１つの素子２６が配置される。すなわち、配線基板２４は、配置される素子と同数の凸部５０を有している。なお、これに限られず、１つの凸部５０に複数の素子２６が配置されてもよい。例えば、基板本体２５上に第１方向ｄ１又は第２方向ｄ２に延びる線状の凸部５０を設け、この凸部５０の延びる方向に沿って複数の素子２６を配列してもよい。
【００５３】
素子２６は、凸部５０の上面５０ａ上に設けられた図示しない電極に、例えば、はんだ材、導電性接着剤、異方導電膜（ＡＣＦ）等を介して接続されている。素子２６は、配線を介して表示制御部と接続される。素子２６と表示制御部とを接続する配線は、凸部５０の上面５０ａと、側面５０ｃ〜５０ｆの少なくとも１つと、に沿って延びる。このため、凸部５０の表面は絶縁材料で形成されることが好ましい。具体的には、凸部５０の上面５０ａと、側面５０ｃ〜５０ｆの少なくとも１つと、の表面が絶縁材料で形成されることが好ましい。より好ましくは、凸部５０の上面５０ａ及び側面５０ｃ〜５０ｆの表面が、いずれも絶縁材料で形成される。
【００５４】
また、素子２６が接続された電極から延びる配線は、第１面２５ａ及び第１面２５ａの法線方向ｎｄに対して傾斜した傾斜面（側面５０ｃ〜５０ｆ）上を延びることが好ましい。配線は、一例として、基板本体２５の第１面２５ａ上と凸部５０上とにわたって、スパッタリング法やめっき法により、銅等からなる金属層を形成し、フォトリソグラフィー技術を用いてパターニングすることにより、形成される。このとき、実質的に法線方向ｎｄに沿って延びる面、すなわち基板本体２５の第１面２５ａと垂直に延びる面には、スパッタリング法やめっき法により安定して金属層を形成できないことがある。これに対して、凸部５０が、第１面２５ａから離間するにつれて、平面視において素子２６に近づくように、第１面２５ａ及び第１面２５ａの法線方向ｎｄに対して傾斜した傾斜面（側面５０ｃ〜５０ｆ）を有していると、この傾斜面上に、スパッタリング法やめっき法により安定して金属層を形成することができる。
【００５５】
図２及び図３に示されているように、平面視において、前面板４０の遮光層４４の開口部４５を画定する外縁４６は、対応する素子２６の発光面２６ａの外縁を取り囲むように形成されている。換言すると、素子２６の発光面２６ａは、平面視において、対応する開口部４５内に位置する。さらに、図示された例では、平面視において、前面板４０の遮光層４４の開口部４５を画定する外縁４６は、対応する素子２６が配置された凸部５０の上面５０ａの外縁を取り囲んでいる。換言すると、凸部５０の上面５０ａは、平面視において、対応する開口部４５内に位置する。これにより、図７に示すように、凸部５０の上面５０ａは、遮光層４４の開口部４５における遮光層４４の厚さ内に位置することが可能になる。したがって、素子２６の発光面２６ａと、前面板４０の光透過性基板４２の第２面４２ｂと、の法線方向ｎｄに沿った距離をさらに小さくすることができる。これにより、素子２６の発光面２６ａから出射した光のうち法線方向ｎｄに対して大きく傾斜した方向へ出射した光が遮光層４４で遮られることをさらに抑制することができる。したがって、法線方向ｎｄに対して大きく傾斜した方向から表示装置１０を観察したときに、素子２６から出射した光が視認しづらくなり、表示パネル２０に表示される映像の明るさが大きく低下することをさらに抑制することができる。換言すると、観察者５が表示パネル２０に表示される映像を明るく視認できる視野角θ１がさらに大きくなる。
【００５６】
このような凸部５０は、例えば、基板本体２５の第１面２５ａ上に、流動性を有する光硬化性樹脂を塗布し、フォトリソグラフィー技術を用いてパターニングすることにより、形成することができる。とりわけ、光硬化性樹脂としてネガ型の光硬化性樹脂を用いることにより、第１面２５ａから離間するにつれて、平面視において素子２６に近づくように、第１面２５ａ及び第１面２５ａの法線方向ｎｄに対して傾斜した傾斜面（側面５０ｃ〜５０ｆ）を有する凸部５０を形成することができる。
【００５７】
図示された例では、各凸部５０の、基板本体２５の第１面２５ａからの最大高さＨｍａｘの９０％の高さＨ９０における第１面２５ａと平行な断面Ａの面積は、１００００μｍ２以下とすることができる。とりわけ断面Ａの面積は、１００μｍ２以上１００００μｍ２以下とすることができる。断面Ａの面積が１００００μｍ２以下であると、対応する遮光層４４の開口部４５の平面視寸法を小さくしながらも、凸部５０の上面５０ａを、開口部４５における遮光層４４の厚さ内に位置させることができる。また、断面Ａの面積が１００μｍ２以上であると、素子２６を配置するための上面５０ａの面積を十分に確保することができる。なお、このような効果を奏する凸部５０を特定するためには、凸部５０の上面５０ａの面積を用いて特定することも考えられる。しかしながら、本件発明者らの検討によれば、凸部５０の製造方法等に起因して、凸部５０の上面５０ａの外縁が明確に特定しづらい場合があることが知見された。したがって、上述のように高さＨ９０における断面Ａの面積を用いて凸部５０を特定することが、きわめて有効である。
【００５８】
また、凸部５０を構成する１以上の層のうち、基板本体２５の第１面２５ａの法線方向ｎｄに沿って第１面２５ａから最も離間した層における第１面２５ａと対面する面Ｂ、図７に示された例では下面５０ｂ、の面積は、１００００μｍ２以下とすることができる。とりわけ面Ｂの面積は、１００μｍ２以上１００００μｍ２以下とすることができる。面Ｂの面積が１００００μｍ２以下であると、対応する遮光層４４の開口部４５の平面視寸法を小さくしながらも、凸部５０の上面５０ａを、開口部４５における遮光層４４の厚さ内に位置させることができる。また、面Ｂの面積が１００μｍ２以上であると、素子２６を配置するための上面５０ａの面積を十分に確保することができる。
【００５９】
素子２６の発光面２６ａと、前面板４０の光透過性基板４２の第２面４２ｂと、の間の法線方向ｎｄに沿った距離は、０．１μｍ以上１０μｍ以下であることが好ましい。当該距離が０．１μｍ以上であると、素子２６の発光面２６ａと、前面板４０の光透過性基板４２の第２面４２ｂと、の接触を適切に回避することができる。また、当該距離が１０μｍ以下であると、観察者５が表示パネル２０に表示される映像を明るく視認できる視野角θ１を十分に大きくすることができる。
【００６０】
本実施の形態の表示パネル２０は、第１面２５ａ及び第１面２５ａと反対側の面をなす第２面２５ｂを有する基板本体２５を含む配線基板２４と、配線基板２４上に配置された素子２６と、を備え、配線基板２４は、第１面２５ａから突出する凸部５０を有し、素子２６は、凸部５０上に配置されている。
【００６１】
また、本実施の形態の表示装置１０は、上述の表示パネル２０と、第１面２５ａと対向して配置された表示装置用前面板４０と、を備え、表示装置用前面板４０は、光透過性基板４２と、光透過性基板４２に対して表示パネル２０側に設けられ複数の開口部４５を有する遮光層４４と、を有し、素子２６は、平面視において遮光層４４の開口部４５内に位置する。
【００６２】
このような表示パネル２０及び表示装置１０によれば、素子２６の発光面２６ａと前面板４０との、法線方向ｎｄに沿った距離を小さくすることができる。とりわけ、発光面２６ａと、前面板４０の光透過性基板４２の第２面４２ｂと、の距離を小さくすることができる。これにより、図７に示すように、素子２６の発光面２６ａから出射した光のうち法線方向ｎｄに対して大きく傾斜した方向へ出射した光が遮光層４４で遮られることを抑制することができる。したがって、法線方向ｎｄに対して大きく傾斜した方向から表示装置１０を観察したときに、素子２６から出射した光が視認しづらくなり、表示パネル２０に表示される映像の明るさが大きく低下することを抑制することができる。換言すると、観察者５が表示パネル２０に表示される映像を明るく視認できる視野角θ１が大きくなる。
【００６３】
本実施の形態の表示パネル２０は、各凸部５０上に、それぞれ１つの素子２６が配置され、各凸部５０の、第１面２５ａからの最大高さＨｍａｘの９０％の高さＨ９０における第１面２５ａと平行な断面Ａの面積は、１００００μｍ２以下である。
【００６４】
また、本実施の形態の表示パネル２０では、凸部５０は、第１面２５ａ上に積層された１以上の層を有し、この層のうち第１面２５ａの法線方向ｎｄに沿って第１面２５ａから最も離間した層における第１面２５ａと対面する面５０ｂの面積は、１００００μｍ２以下である。
【００６５】
このような表示パネル２０によれば、対応する遮光層４４の開口部４５の平面視寸法を小さくしながらも、凸部５０の上面５０ａを、開口部４５における遮光層４４の厚さ内に位置させることができる。
【００６６】
本実施の形態の表示パネル２０では、凸部５０は、その表面が絶縁材料で形成される。
【００６７】
このような表示パネル２０によれば、凸部５０の表面に沿って形成される配線を適切に絶縁することができる。
【００６８】
本実施の形態の表示パネル２０では、凸部５０は、第１面２５ａから離間するにつれて、平面視において素子２６に近づくように、第１面２５ａ及び第１面２５ａの法線方向ｎｄに対して傾斜した傾斜面５０ｃ〜５０ｆを含む。
【００６９】
このような表示パネル２０によれば、この傾斜面５０ｃ〜５０ｆ上に、後に素子２６と表示制御部とを接続する配線の一部となる金属層を、スパッタリング法やめっき法等により安定して形成することができる。
【００７０】
なお、上述した実施の形態に対して様々な変更を加えることが可能である。以下、必要に応じて図面を参照しながら、変形例について説明する。以下の説明及び以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７１】
図８は、本発明の一変形例を説明するための図であって、表示パネル２０を示す断面図である。図示された例では、配線基板２４の凸部５０は、基板本体２５の第１面２５ａ上に設けられた第１層５１と、第１層５１の基板本体２５と反対側に設けられた第２層５２と、を有している。第１層５１及び第２層５２は、平面視においてそれぞれ矩形形状を有している。また、第１層５１及び第２層５２は、例えばいずれも樹脂層により形成されている。
【００７２】
図９は、本発明の他の変形例を説明するための図であって、表示パネル２０を示す断面図である。図示された例では、配線基板２４の凸部５０は、基板本体２５の第１面２５ａ上に設けられた第１層５１と、第１層５１の基板本体２５と反対側に設けられた第２層５２と、を有している。第１層５１及び第２層５２は、平面視においてそれぞれ矩形形状を有している。また、第１層５１及び第２層５２は、例えばいずれも樹脂層により形成されている。
【００７３】
図示された例では、第１層５１、第２層５２は、いずれも、第１面２５ａから離間するにつれて、平面視において素子２６に近づくように、第１面２５ａ及び第１面２５ａの法線方向ｎｄに対して傾斜した傾斜面５１ｇ，５２ｇを含んでいる。
【００７４】
ここで、図８及び図９を参照して説明した例では、平面視において、第２層５２の輪郭は、第１層５１の輪郭を取り囲んでいることが好ましい。換言すると、平面視において、第１層５１は、第２層５２の輪郭内に位置していることが好ましい。
【００７５】
図８及び図９を参照して説明した例では、凸部５０が２つの層で形成されるので、凸部５０が１つの層で形成される場合と比較して、凸部５０の最大高さＨｍａｘを大きくすることができる。なお、凸部５０は、２つの層で形成されるものに限られず、３以上の層を積層することにより形成されてもよい。
【００７６】
このような第１層５１及び第２層５２は、例えば、基板本体２５の第１面２５ａ上に、流動性を有する光硬化性樹脂を塗布し、フォトリソグラフィー技術を用いてパターニングすることにより、形成することができる。とりわけ、光硬化性樹脂としてネガ型の光硬化性樹脂を用いることにより、図９に示すように、第１面２５ａから離間するにつれて、平面視において素子２６に近づくように、第１面２５ａ及び第１面２５ａの法線方向ｎｄに対して傾斜した傾斜面５１ｇ，５２ｇを有する凸部５０を形成することができる。
【００７７】
図１０は、本発明のさらに他の変形例を説明するための図であって、表示パネル２０を示す断面図である。図示された例では、配線基板２４の凸部５０は、基板本体２５の第１面２５ａ上に設けられた第１内部層５３と、第１内部層５３の基板本体２５と反対側に設けられた第２内部層５４と、第１内部層５３及び第２内部層５４を覆って設けられた表面層５５と、を有している。表面層５５は、第１面２５ａから離間するにつれて、平面視において素子２６に近づくように、第１面２５ａ及び第１面２５ａの法線方向ｎｄに対して傾斜した傾斜面５５ｇを含んでいる。
【００７８】
図示された例では、第１内部層５３、第２内部層５４として、樹脂からなる層に限られず、金属からなる層等の導電性を有する層を用いることもできる。これにより、フォトリソグラフィー技術を用いることなく、簡単な工程により凸部５０の最大高さＨｍａｘを大きくすることができる。なお、表面層５５は、樹脂材料等の絶縁材料で形成されることが好ましい。
【符号の説明】
【００７９】
５    観察者
１０    表示装置
２０    表示パネル
２０ａ  表示面
２２    単位基板
２４    配線基板
２５    基板本体
２５ａ  第１面
２５ｂ  第２面
２６    素子
２６ａ  発光面
４０    表示装置用前面板
４０ａ  第１面
４０ｂ  第２面
４２    光透過性基板
４４    遮光層
４５    開口部
４６    外縁
５０    凸部
５０ａ  上面
５０ｂ  下面
５０ｃ  第１側面（傾斜面）
５０ｄ  第２側面（傾斜面）
５０ｅ  第３側面（傾斜面）
５０ｆ  第４側面（傾斜面）
６０    接合層
ｎｄ    法線方向
【図１】
2019028308.tif 000003
【図２】
2019028308.tif 000004
【図３】
2019028308.tif 000005
【図４】
2019028308.tif 000006
【図５】
2019028308.tif 000007
【図６】
2019028308.tif 000008
【図７】
2019028308.tif 000009
【図８】
2019028308.tif 000010
【図９】
2019028308.tif 000011
【図１０】
2019028308.tif 000012
【図１１】
2019028308.tif 000013